(57)【要約】【課題】窓枠内に建て込まれる引戸障子が、閉鎖方向に移動し閉鎖位置近傍に達した際に、この引戸障子に制動力を作用させる事のできる構造を実現する。【解決手段】窓枠１８の上辺を構成する上枠２０の屋内側にラック６ｂを、ラック取付用アタッチメント３４を用いて支持固定する。又、ガラス障子１９ａの縦辺を構成する突き合わせ框の上端部屋内側面に制動装置本体８ｂを、位置決めスペーサ４０を介して支持固定する。この制動装置本体８ｂは、上記ラック６ｂと噛合自在なピニオン７ｂと、このピニオン７ｂが上記ガラス障子１９ａの閉鎖方向に伴う回転をした場合にのみ、このピニオン７ｂの回転抵抗を大きくする抵抗付与手段とを備える。これにより、上記課題を解決できる。【選択図】図３
2008215001.tif 000002
【特許請求の範囲】
【請求項１】
窓開口に設けられた窓枠と、この窓枠内に水平移動自在に建て込まれた引戸障子と、この引戸障子が閉鎖方向に移動して閉鎖位置近傍に達した際に、この引戸障子に制動力を作用させる制動装置とを備えた制動装置付引戸装置であって、このうちの制動装置は、水平方向に配置されるラックと、このラックと噛合自在なピニオンを有し、このピニオンが上記引戸障子の閉鎖方向への移動に伴い回転する場合にのみ、このピニオンの回転抵抗を大きくする抵抗付与手段を備えた制動装置本体とから構成され、上記窓開口の上辺に固定された部材と上記引戸障子の上端部屋内側面とのうちの何れか一方に上記ラックを、同じく他方に上記制動装置本体を、それぞれ支持固定している事を特徴とする制動装置付引戸装置。
【請求項２】
ラックが、窓開口の上辺に固定された部材に支持固定されており、制動装置本体が、引戸障子の縦辺を構成する竪框若しくは上辺を構成する上框に支持固定されている、請求項１に記載した制動装置付引戸装置。
【請求項３】
制動装置本体が、竪框若しくは上框に対し、スペーサを介して支持固定されている、請求項２に記載した制動装置付引戸装置。
【請求項４】
窓開口に設けられた窓枠と、この窓枠内に水平移動自在に建て込まれた引戸障子と、この引戸障子が閉鎖方向に移動して閉鎖位置近傍に達した際に、この引戸障子に制動力を作用させる制動装置とを備えた制動装置付引戸装置であって、このうちの制動装置は、水平方向に配置されるラックと、このラックと噛合自在なピニオンを有し、このピニオンが上記引戸障子の閉鎖方向への移動に伴い回転する場合にのみ、このピニオンの回転抵抗を大きくする抵抗付与手段を備えた制動装置本体とから構成され、上記窓枠の上辺を構成する上枠の下面にこの制動装置本体を、上記ピニオンの回転軸を水平方向に配置した状態で支持固定すると共に、上記引戸障子の上辺を構成する上框に上記ラックを、その歯先面を上方に向けた状態で支持固定している事を特徴とする制動装置付引戸装置。
【請求項５】
窓枠内に複数の引戸障子が引き違い式に建て込まれている、請求項１〜４のうちの何れか１項に記載した制動装置付引戸装置。
【請求項６】
窓枠内に複数の引戸障子が引き違い式に建て込まれており、制動装置本体が、このうちの屋外側に建て込まれた引戸障子の縦辺を構成する竪框のうち、閉鎖状態で上記窓枠の端部側に位置する竪框に、スペーサを介して支持固定されており、このスペーサには、屋内側に建て込まれた引戸障子の開放方向への移動時にこの屋内側の引戸障子が上記窓枠の縦辺を構成する竪枠に衝突する事を防止する為のストッパ部材が、一体に設けられている、請求項２に記載した制動装置付引戸装置。
【発明の詳細な説明】
【技術分野】
【０００１】
本発明の制動装置付引戸装置は、窓枠と引戸障子との間に身体の一部が挟まる事を防止したり、窓枠と引戸障子とが勢い良く衝突する事を防止する為に利用する。
【背景技術】
【０００２】
従来から、出入り口等の開口部と、この開口部を塞ぐ為の引戸との間に、手指等の身体の一部が挟まる事を防止する手段が考えられており、例えば特許文献１〜６等には、上吊式の引戸（所謂吊戸）が閉鎖方向に移動した場合に、移動の終期でこの引戸の移動に対する制動力を発揮する、制動装置付引戸装置が記載されている。図２０〜２１は、このうちの特許文献１に記載された、従来構造の制動装置付引戸装置の第１例を示している。この従来構造の第１例の場合、開口部１の上方にレール２を水平方向に配設すると共に、引戸障子３の上端面に、１対の吊車４、４をハンガー部材５、５を介して回転自在に支持している。そして、これら両吊車４、４を、上記レール２に対して上方から係合させる事により、上記引戸障子３の上端部をこのレール２に沿う平行移動（水平移動）自在に支持している。
【０００３】
又、従来構造の第１例の場合には、上記レール２よりも上方位置に、ラック６を水平方向に支持している。又、上記引戸障子３の上方位置で、この引戸障子３の一端側（図２０の右側）に設けられたハンガー部材５には、上記ラック６と噛合自在なピニオン７を有する制動装置本体８を支持固定している。この制動装置本体８には、このピニオン７が所定方向に回転する場合にのみ、このピニオン７の回転抵抗を大きくする抵抗付与手段を設けている。具体的には、図２１に示す様に、このピニオン７を、一方向クラッチ９を介して、枢軸１０の一端部（図２１の上端部）に支持すると共に、この枢軸１０の他端部に、回転体１１を支持している。そして、この回転体１１の周囲に、上記抵抗付与手段として機能する、粘性流体１２を充填している。上記従来構造の第１例の場合には、上記ラック６と上記制動装置本体８とにより、制動装置１３を構成している。
【０００４】
特に、従来構造の第１例の場合には、上記ピニオン７が、上記引戸障子３の閉鎖方向への移動に伴う回転をした場合にのみ、このピニオン７の回転を上記枢軸１０（及び上記回転体１１）に伝達する様に、上記一方向クラッチ９の取付方向を規制している。この為、上記引戸障子３が閉鎖方向に移動し、上記ピニオン７が上記ラック６と噛合すると、上記回転体１１を上記粘性流体１２内で回転させる。この為、この回転体１１に作用する粘性抵抗により、上記ピニオン７の回転抵抗が増大する。この結果、上記引戸障子３が閉鎖方向に移動して、閉鎖位置近傍に達した際に、この引戸障子３に制動力を作用させる事ができる。反対に、上記ピニオン７が、上記引戸障子３の開放方向への移動に伴う回転をする場合には、このピニオン７を上記枢軸１０の周囲で空転させる為、上記引戸障子３が移動する事に対し制動力が作用する事はない。
【０００５】
又、上述した様な上吊式の引戸装置以外の引戸装置に制動装置を設けたものとしては、例えば特許文献７、８等に記載された構造が知られている。図２２は、このうちの特許文献７に記載された、従来構造の第２例の制動装置付引戸装置を示している。この従来構造の第２例の場合には、引戸障子３ａの上端部を、上枠１４の下面に形成された案内溝１５内に進入させる構成を採用しており、制動装置１３ａを、上記引戸障子３ａの上端面と、上記案内溝１５の下面との間の空間内に設けている。
【０００６】
具体的には、上記案内溝１５の下面に、その内側面にラック６ａを備えた断面コ字形の受部材１６を支持固定すると共に、上記引戸障子３ａの上端面に、このラック６ａと噛合自在なピニオン７ａを有する制動装置本体８ａを支持固定している。これにより、このピニオン７ａと上記ラック６ａとを、上記引戸障子３ａの表裏方向に噛合させる様にしている。特に、従来構造の第２例の場合には、この引戸障子３ａの上端面に凹部１７を形成し、この凹部１７内に上記制動装置本体８ａを上下移動自在に収納している。そして、上記従来構造の第２例の場合には、上記引戸障子３ａが閉鎖方向に移動し閉鎖位置近傍に達した場合にのみ、上記ピニオン７ａを上記凹部１７内から突出させる上下位置規制手段を設けている。この様に構成する従来構造の第２例の場合にも、上記ピニオン７ａと上記ラック６ａとが噛合した際には、上記制動装置本体８ａに備えた抵抗付与手段の作用により、上記ピニオン７ａの回転抵抗を大きくして、上記引戸障子３ａに制動力を作用させる。
【０００７】
ところで、従来から提案されている制動装置付引戸装置は何れも、前述した従来構造の第１例に示した様な上吊式の引戸装置を対象にするものや、上述した従来構造の第２例に示した様に、上枠と引戸障子の上端部との係合が簡易な構造で、これら上枠の下面と引戸障子の上端面との間に、大きな空間を確保できる引戸装置を対象にするものに限られている。更に、その多くが、引戸障子を閉鎖方向に付勢する自閉装置を備えた構造である。即ち、従来から提案されている制動装置付引戸装置は、制動装置を組み付ける為の空間を十分に確保できる構造で、しかも比較的軽量な引戸障子を対象にしている。
【０００８】
ところが、閉鎖動作を行なう引戸障子は、軽量の引戸障子に比べて、重量の大きい引戸障子の方が慣性質量が大きくなる為、閉鎖時に開口部に衝突した際の衝撃力は大きく、静粛性の面で問題を生じると共に、万一、開口部との間に手指等の身体の一部を挟んだ場合には、大事故に繋がる可能性がある。この為、重量の大きい引戸障子の閉鎖時に於ける安全性、静粛性を十分に確保する為には、何らかの対策を施す事が望ましく、上述した様な制動装置により制動機能を発揮させる事が望まれる。特に、近年になって、窓枠に建て込まれる引戸障子は、その遮音性、高断熱性、耐風圧性等の向上を図ると共に、採光性を確保する為に大型のガラスパネルを使用する場合があり、その重量は増大する傾向にある。又、複層式のガラスパネルを使用する事によっても、引戸障子の重量は増加する。従って、この様な窓枠とこの窓枠内に建て込まれる引戸障子とから構成される引戸装置に関しても、制動装置を組み込む必要性が生じている。しかしながら、窓枠の上辺を構成する上枠と、引戸障子の上辺を構成する上框との間には、この引戸障子を案内する為の上部案内レールが設けられる等、制動装置を組み込む為の空間は限られており、従来構造の第１例及び第２例等の従来から知られた構造をそのまま利用して、引戸装置用の制動装置を組み込む事はできない。
【０００９】
【特許文献１】特開２００２−１２１９５９号公報
【特許文献２】特開２００２−４７８５９号公報
【特許文献３】特開２００２−１８８３５３号公報
【特許文献４】特開２００２−２５６７５９号公報
【特許文献５】特開２００５−５４４２２号公報
【特許文献６】特開２００５−３２０８５８号公報
【特許文献７】特開２００５−８３１１４号公報
【特許文献８】特開２００６−２００２９８号公報
【発明の開示】
【発明が解決しようとする課題】
【００１０】
本発明は、上述の様な事情に鑑みて、窓枠内に建て込まれる引戸障子が、閉鎖方向に移動し閉鎖位置近傍に達した際に、この引戸障子に制動力を作用させる事のできる構造を実現すべく発明したものである。
更に本発明は、他の種類の引戸装置に従来から使用されている制動装置をそのまま使用できる構造を実現すると共に、既に建造物に取り付けられた既存の引戸装置に適用できる構造を実現するものである。
【課題を解決するための手段】
【００１１】
本発明の制動装置付引戸装置は、窓開口に設けられた窓枠と、この窓枠内に水平移動自在に建て込まれた引戸障子と、この引戸障子が閉鎖方向に移動して閉鎖位置近傍に達した際に、この引戸障子に制動力を作用させる制動装置とを備える。
このうちの制動装置は、水平方向に配置されるラックと、このラックと噛合自在なピニオンを有し、このピニオンが上記引戸障子の閉鎖方向への移動に伴い回転する場合にのみ、このピニオンの回転抵抗を大きくする抵抗付与手段を備えた制動装置本体とから構成する。
【００１２】
特に、請求項１に記載した制動装置付引戸装置にあっては、上記窓開口の上辺に固定された部材と上記引戸障子の上端部屋内側面とのうちの何れか一方に上記ラックを、同じく他方に上記制動装置本体を、それぞれ支持固定している。尚、上記窓開口の上辺に固定された部材とは、窓枠の上辺を構成する上枠、又は、額縁等を言う。
又、請求項４に記載した制動装置付引戸装置にあっては、上記窓枠の上辺を構成する上枠の下面に上記制動装置本体を、上記ピニオンの回転軸を水平方向（屋内外方向）に配置した状態で支持固定すると共に、上記引戸障子の上辺を構成する上框に上記ラックを、その歯先面を上方に向けた状態で支持固定している。
【００１３】
上述の様な請求項１に記載した発明を実施する場合には、例えば請求項２に記載した様に、上記ラックを、上記窓開口の上辺に固定された部材に支持固定すると共に、上記制動装置本体を、上記引戸障子の縦辺を構成する竪框若しくは上辺を構成する上框に支持固定する。
又、上述した請求項２に記載した発明を実施する場合には、例えば請求項３に記載した様に、上記制動装置本体を上記竪框若しくは上框に対し、スペーサを介して支持固定する。
或いは、請求項６に記載した様に、窓枠内に複数の引戸障子を引き違い式に建て込む構成を採用し、上記制動装置本体を、このうちの屋外側に建て込まれた引戸障子の縦辺を構成する竪框のうち、閉鎖状態で上記窓枠の端部側に位置する竪框に、スペーサを介して支持固定する。そして、このスペーサには、屋内側に建て込まれた引戸障子の開放方向への移動時にこの屋内側の引戸障子が上記窓枠の縦辺を構成する竪枠に衝突する事を防止する為のストッパ部材を、一体に設ける。
更に、上述した請求項１〜４に記載した発明を実施する場合には、請求項５に記載した様に、窓枠内に複数の引戸障子を引き違い式に建て込む事ができる。
【発明の効果】
【００１４】
上述の様に構成する本発明によれば、窓開口に設けられる窓枠と、この窓枠内に建て込まれる引戸障子とから構成される引戸装置に、この引戸障子の閉鎖方向への移動を制動する為の制動装置を組み込む事ができる。即ち、請求項１に記載した制動装置付引戸装置の場合には、引戸障子の屋内側の空間を有効に利用する事で、又、請求項４に記載した制動装置付引戸装置の場合には、窓枠の上辺を構成する上枠と、引戸障子の上辺を構成する上框との間の空間を有効に利用する事で、制動装置の組み付け性を確保している。従って、上記請求項１及び請求項４の何れの制動装置付引戸装置の場合にも、引戸障子が閉鎖方向に移動して閉鎖位置近傍に達した際に、この引戸障子に制動力を作用させる事ができる。この為、この引戸障子と窓枠との間に身体の一部が挟まる事を防止できると共に、これら引戸障子と窓枠とが勢い良く衝突する事を防止できる。この結果、重量の大きい引戸障子を使用する場合にも、閉鎖時に於ける安全性、静粛性を確保する事ができる。
【００１５】
又、上述した請求項３に記載した様に、制動装置本体をスペーサを用いて支持固定すれば、このスペーサの形状、寸法等を適正に規制する事により、制動装置本体として、従来から他の種類の引戸装置に用いられているものを使用する事ができる。
更に、請求項６に記載した様に、上記スペーサにストッパ部材を一体に設ければ、製造コストの面で有利になるだけでなく、部品管理や取付作業の工数を削減する事もできる。
【発明を実施するための最良の形態】
【００１６】
［実施の形態の第１例］
図１〜５は、請求項１〜３、５に対応する、本発明の実施の形態の第１例を示している。本例の場合は、窓枠１８の内側に、それぞれが特許請求の範囲に記載した引戸障子である１対のガラス障子１９ａ、１９ｂを、引き違い式に建て込んでいる。このうちの窓枠１８は、上辺を構成する上枠２０と、下辺を構成する下枠２１と、左右の縦辺を構成する竪枠２２ａ、２２ｂとにより、矩形に構成している。これら各枠２０、２１、２２ａ、２２ｂは、それぞれアルミニウム合金の一体押し出し成形材製である。又、上記各ガラス障子１９ａ、１９ｂは、それぞれの上辺を構成する上框２３ａ、２３ｂと、同じく下辺を構成する下框２４ａ、２４ｂと、それぞれが左右の縦辺を構成する竪框である、召し合わせ框２５ａ、２５ｂ及び突き合わせ框２６ａ、２６ｂとにより、ガラスパネル２７ａ、２７ｂの四辺を囲んで成る。これら各框２３ａ、２３ｂ、２４ａ、２４ｂ、２５ａ、２５ｂ、２６ａ、２６ｂも、アルミニウム合金の一体押し出し成形材製である。このうちの召し合わせ框２５ａ、２５ｂは、上記ガラス障子１９ａ、１９ｂの閉鎖時に上記窓枠１８の中央に位置して、屋内外方向に亙り互いに対向する。これに対して上記各突き合わせ框２６ａ、２６ｂは、上記ガラス障子１９ａ、１９ｂの閉鎖時に上記窓枠１８の端部に位置して、上記各縦枠２２ａ、２２ｂに突き合わされる。又、本例の場合には、上記ガラスパネル２７ａ、２７ｂとして、複層式（二重式）のガラスパネルを使用している。
【００１７】
又、上記上枠２０の下面には、１対の上部案内レール２８ａ、２８ｂを、屋内外方向に離隔した状態で設けている。そして、上記各召し合わせ框２５ａ、２５ｂ及び突き合わせ框２６ａ、２６ｂの上端部に支持したガイドブロック２９ａ、２９ｂに形成したガイド溝３０ａ、３０ｂに上記各上部案内レール２８ａ、２８ｂを係合させている。この構成により、上記各ガラス障子１９ａ、１９ｂの上端部を、上記上枠２０に沿う平行移動自在に支持している。これに対して、上記下枠２１には、１対の下部案内レール３１ａ、３１ｂを、屋内外方向に離隔した状態で設けている。そして、上記各ガラス障子１９ａ、１９ｂの下辺を構成する上記下框２４ａ、２４ｂの両端部近傍部分に設けられた戸車３２ａ、３２ｂ（後述する図７参照）を、上記下部案内レール３１ａ、３１ｂに係合させている。これにより、上記各ガラス障子１９ａ、１９ｂを、上記下枠２１の上方位置に、この下枠２１に沿った水平移動を自在に支持している。
以上の構成により、上記各ガラス障子１９ａ、１９ｂを上記窓枠１８の内側に、水平移動自在に建て込んでいる。
【００１８】
特に、本例の場合には、屋外側に建て込まれた上記ガラス障子１９ａが閉鎖方向に移動し、閉鎖位置近傍に達した際に（開口幅を約３０〜４０ｃｍ程度残した状態で）、このガラス障子１９ａに制動力を作用させる為の制動装置１３ｂを設けている。本例の場合には、この制動装置１３ｂとして、前述した従来構造の制動装置１３、１３ａ（図２０〜２２参照）と同様に、ラック６ｂと制動装置本体８ｂとから構成されるものを使用している。この制動装置本体８ｂとしては、上記ラック６ｂと噛合自在なピニオン７ｂと、このピニオン７ｂが上記ガラス障子１９ａの閉鎖方向への移動に伴い回転した場合にのみ、このピニオン７ｂの回転抵抗を大きくする抵抗付与手段とを備えている。本例の場合には、この様な機能を発揮できる抵抗付与手段の構造は特に限定しないが、例えば、前記図２１に示した様な、ピニオンと共に回転する回転体の周囲に粘性流体を充填する構造や、ピニオンと共に回転する回転体に、ばね等の弾性材を利用して摩擦部材を押し付ける等の構造を採用する事ができる。何れにしても、本例の場合には、上述の様な機能を発揮できる抵抗付与手段を、略円筒状のケース３３の内側に収納している。
【００１９】
特に、本例の場合には、上記ラック６ｂを、前記窓枠１８の上辺を構成する上枠２０の一端部寄り部分（図１の左側部分）に支持固定すると共に、上記制動装置本体８ｂを、上記ガラス障子１９ａの縦辺を構成する突き合わせ框２６ａの上端部屋内側面に支持固定している。この為に本例の場合には、上記ラック６ｂを、ラック取付用アタッチメント３４を用いて、上記上枠２０の一端寄り部分に支持固定している。このラック取付用アタッチメント３４は、この上枠２０の屋内側面に設けられた突出板部３５に、ねじ３６ａにより下方からねじ止め固定された断面クランク形のステー３７と、上記上枠２０の屋内側に設けられた木製の額縁３８とに、それぞれねじ３６ｂ、３６ｃにより下方からねじ止め固定されている。
【００２０】
上述の様なラック取付用アタッチメント３４の下面には、屋内外方向に離隔した状態で、１対の係止溝３９ａ、３９ｂを、それぞれ設けている。そして、本例の場合には、これら両係止溝３９ａ、３９ｂのうちの屋外側の係止溝３９ａに、上記ラック６ｂを係止している。本例の場合には、このラック６ｂを断面略Ｔ字形として、その基端部を上記係止溝３９ａ内に係止している。具体的には、このラック６ｂの基端部をかしめ固定する事により、又は、この係止溝３９ａのうち、このラック６ｂの長さ方向両側部分に、図示しない阻止部材を支持する事により、このラック６ｂが、上記係止溝３９ａ内で前記ガラス障子１９ａの開閉方向に変位しない様にしている。尚、本例の場合には、上記ラック取付用アタッチメント３４として、アルミニウム合金の一体押し出し成形材製で、その長さ寸法が、上記上枠２０の全長とほぼ等しいものを使用している。但し、上記各ラック６ｂの長さ寸法（約３０ｃｍ）よりも僅かに大きいものを使用しても良い。又、本例に使用する上記ラック取付用アタッチメント３４は、屋外側のガラス障子１９ａを制動する為の上記ラック６ｂのみを係止する専用品ではなく、屋内側の係止溝３９ｂにより、屋内側のガラス障子１９ｂを制動する為のラック６ｂも係止できる様にしている（後述する図７〜９参照）。
【００２１】
又、本例の場合には、前記制動装置本体８ｂを、図２〜４に示す様に、位置決めスペーサ４０を介して、前記突き合わせ框２６ａの上端部屋内側面に結合している。この為に、この位置決めスペーサ４０は、この突き合わせ框２６ａの上端部屋内側面に、１対のねじ４１、４１によりねじ止め固定している。又、この突き合わせ框２６ａの内側には、断面コ字形の補強部材４２を設けており、この突き合わせ框２６ａに対する上記位置決めスペーサ４０の結合強度を高めている。又、本例の場合には、この位置決めスペーサ４０として、合成樹脂製のものを使用している為、この位置決めスペーサ４０と上記突き合わせ框２６ａの屋内側面との間に、図示しない金属製の座金を挟持している。尚、上記補強部材４２は、上記ガラス障子１９ａを前記窓枠内１８から取り外した状態で、予め上記突き合わせ框２６ａの上方から挿入し、ねじ止め固定している。
【００２２】
上述の様に結合された上記位置決めスペーサ４０に対して、本例の場合は、上記制動装置本体８ｂを、以下の様にして結合している。即ち、この制動装置本体８ｂを構成するピニオン７ｂの回転軸を屋内外方向に配置した状態で、前記ケース３３の背面を上記位置決めスペーサ４０に当接させると共に、このケース３３の外周面の一部（図２、３、５の下方）に設けられた取付板部４３を、上記位置決めスペーサ４０にねじ止め固定している。
【００２３】
具体的には、上記取付板部４３を、上記位置決めスペーサ４０の両側部分に設けられた１対の受部４４、４４に対して、ねじ止め固定している。この為に、これら各受部４４、４４には、上記取付板部４３を挿通したねじ４５、４５を挿入自在で上下方向に長い長孔４６、４６と、これら各ねじ４５、４５と螺合自在なプレートナット４７、４７を収納する為の凹部４８、４８とを形成している。そして、上記各長孔４６、４６内に挿入した上記各ねじ４５、４５と、上記各プレートナット４７、４７とを螺合緊結する事により、上記取付板部４３を上記各受部４４、４４に対しねじ止め固定している。尚、本例の場合には、上記各ねじ４５、４５を、上下方向に長い上記各長孔４６、４６内に挿入している為、上記位置決めスペーサ４０に対する上記制動装置本体８ｂの取付位置を、上下方向に調節する事ができる。これにより、前記ピニオン７ｂを、前記ラック６ｂに噛合させる為の上下方向に関する調節作業を行なう事ができる。尚、本例の場合には、上記位置決めスペーサ４０の屋内外方向に関する厚さ寸法を適正に規制する事で、上記ピニオン７ｂの屋内外方向位置を、上記ラック６ｂの屋内外方向位置と同じにしている。
【００２４】
又、本例の場合には、上記制動装置本体８ｂの上部空間以外を覆う状態で、カバー４９を取り付けている。即ち、このカバー４９の内側面に設けられた係止爪５０、５０を、上記各受部４４、４４の上端部外側面に設けられた係止凹部５１、５１に係合させる事により、上記制動装置本体８ｂを覆う状態で、上記カバー４９を上記位置決めスペーサ４０に対し取り付けている。本例の場合には、この様なカバー４９を設ける事で、上記ピニオン７ｂ（の下方部分）に、身体の一部（主として頭部）が接触する事を防止すると共に、カーテン等が巻き込まれる事を防止する様にしている。更に、上記カバー４９により、上記制動装置本体８ｂを設けた前記ガラス障子１９ａの外観及び体裁を良好に確保している。
【００２５】
上述の様に、本例の場合には、前記窓枠１８及び上記ガラス障子１９ａの屋内側の空間を利用して、前記制動装置１３ｂを組み付けている。従って、本例の場合には、上記引戸障子１９ａが閉鎖方向に移動して閉鎖位置近傍に達した際には、上記ラック６ｂと上記ピニオン７ｂとが噛合して、抵抗付与手段の作用により回転抵抗の大きくなったこのピニオン７ｂを回転させる。この為、上記引戸障子１９ａに制動力を作用させる事ができる。従って、この引戸障子１９ａと上記窓枠１８の縦辺を構成する竪枠２２ａとの間に、身体の一部が挟まる事を防止できると共に、これら引戸障子１９ａと竪枠２２ａとが勢い良く衝突する事を防止できる。この為、本例の様に、複層のガラスパネル２７ａが組み込まる事で重量が大きくなった引戸障子１９ａに就いても、閉鎖時に於ける安全性、静粛性を十分に確保する事ができる。
【００２６】
又、本例の場合には、位置決めスペーサ４０を介して制動装置本体８ｂを支持固定している為、この制動装置本体８ｂとして、従来から他の種類の引戸装置に使用されているものをそのまま使用する事ができる。言い換えれば、本例の場合には、専用の制動装置本体８ｂを用意する必要がなく、既存のものをそのまま使用する事ができる。
【００２７】
又、本例の場合には、制動装置１３ｂを構成するラック６ｂと制動装置本体８ｂとの何れも、引戸装置の屋内側の空間に取り付けている為、上記制動装置１３ｂを、新たに建造物に取り付ける引戸装置だけでなく、既に建造物に取り付けられた既存の引戸装置にも取り付ける事ができる。更に、上記制動装置１３ｂの取付作業時に於ける安全性を確保できるだけでなく、取付作業の作業効率を向上させる事もできる。又、埃、雨、日射等による影響を少なくする事ができて、上記制動装置１３ｂの耐久性を確保する面でも有利になる。
【００２８】
尚、本例の構成は、屋外側のガラス障子１９ａに限らず、屋内側のガラス障子１９ｂにもそのまま適用する事ができる。図６〜９には、屋内側のガラス障子１９ｂの閉鎖方向への移動を制動する為に、制動装置１３ｂを組み込んだ構造を示している。但し、この場合にも、屋外側のガラス障子１９ａに用いた制動装置本体８ｂを、そのまま屋内側のガラス障子１９ｂに用いる事はできず、抵抗付与手段により回転抵抗を大きくするピニオン７ｂの回転方向を逆向きにする必要がある。この為に例えば、前述した従来構造の第１例に示した様な一方向クラッチを用いれば、この一方向クラッチの取付向きを、屋外側と屋内側とで逆向きにする事で、屋外側のガラス障子１９ａと屋内側のガラス障子１９ｂとに、同じ制動装置本体８ｂを使用する事が可能になる。
【００２９】
［実施の形態の第２例］
図１０〜１２は、請求項４、５に対応する、本発明の実施の形態の第２例を示している。本例に就いても、適用する引戸装置の構造は、上述した実施の形態の第１例と同様に、引違戸である。又、本例の場合は、屋外側、屋内側の両方のガラス障子１９ａ、１９ｂの閉鎖方向への移動を制動する為に、制動装置１３ｃ、１３ｃを２組設けている。但し、本例の場合には、屋外側のガラス障子１９ａを制動する為の制動装置１３ｃと、屋内側のガラス障子１９ｂを制動する為の制動装置１３ｃとで、抵抗付与手段により回転抵抗を大きくするピニオンの回転方向が逆になる以外は、その基本的な構成を同じとしている為、以下の説明は、屋外側のガラス障子１９ａを制動する為に設けられた制動装置１３ｃを対象に行なう。
【００３０】
本例の場合にも、上記制動装置１３ｃは、ラック６ｃと、制動装置本体８ｃとから構成され、この制動装置本体８ｃは、このラック６ｃと噛合自在なピニオン７ｃと、抵抗付与手段とを備えている。そして、本例の場合には、上記ラック６ｃを、ガラス障子１９ａの上辺を構成する上框２３ａに、上下移動のみ可能に支持すると共に、上記制動装置本体８ｃを、窓枠１８の上辺を構成する上枠２０に支持固定している。
【００３１】
具体的には、上記ラック６ｃを、その歯先面を上方に向けた状態で、上記上框２３ａの上端面から突出させた状態で、上下方向に長い長孔とガイドピンとの係合により、上記上框２３ａに対し、昇降可能に支持している。又、この上框２３ａの上端部のうちで、上部案内レール２８ａと係合する係止溝５２に隣接した空間（屋内側空間）に、上記ラック６ｃの両端部下面を支持すると共に、このラック６ｃの上下位置を調節自在な、上下位置調整装置５３、５３を設けている。これら各上下位置調整装置５３、５３は、上記係止溝５２の底壁部にねじ止め固定された止め具５４と、この止め具５４に回転自在に支持された調整駒５５とから構成される。この調整駒５５は、１対の嵌合片５６ａ、５６ｂと、これら両嵌合片５６ａ、５６ｂの間部分に設けられた突片５７とから成る。そして、この突片５７のうちで最上位置部分を、上記ラック６ｃの底辺に設けた凹部６８の一部に当接させている。尚、上記図１１、１２には、上記突片５７及び凹部６８を省略して示している。
【００３２】
又、上記両嵌合片５６ａ、５６ｂのうち、屋内側に設けられた嵌合片５６ａの屋内側端面には、ドライバー等の工具と係合自在な係合溝を形成しており、屋外側に設けられた嵌合片５６ｂの外周面は、歯車状に形成している。そして、この嵌合片５６ｂの外周面には、上記止め具５４の一部を係合させて、この嵌合片５６ｂ及び上記突片５７が回転する事に対する抵抗を付与している。又、本例の場合には、上記上框２３ａの屋内側面に、上記工具を挿入自在な通孔を形成し、キャップ５８により塞いでいる。
【００３３】
この様に構成する上記各上下位置制動装置５３、５３は、上記屋内側の嵌合片５６ａを工具を用いて回動させ、上記突片５７をこの嵌合片５６ａと共に回動させる事により、上記ラック６ｃの底辺に設けられた凹部６８と上記突片５７との当接位置を変化させ（突片５７のうちで、この凹部６８と当接している部分である最上位置を上下方向に変化させ）、このラック６ｃの上下位置を調整する様に構成している。尚、本例の場合には、上述の様に、上記屋外側の嵌合片５６ｂの外周面に上記止め具５４の一部を係止する事により、上記突片５７が、工具による回動動作以外で、回転する事を阻止している。又、本例の場合には、この突片５７と、上記ラック６ｃの底辺に設けられた凹部とが当接する事で、このラック６ｃが長さ方向に変位する事を防止する事もできる（前述した長孔とピンとの係合部を省略する事もできる）。
【００３４】
一方、本例の場合には、前記制動装置本体８ｃを、上記上枠２０の下面に、この制動装置本体８ｃを構成するピニオン７ｃの回転軸を屋内外方向（水平方向）に配置した状態で支持固定している。具体的には、上記制動装置本体８ｃを、上記上枠２０の下面のうち、上部案内レール２８ａよりも屋内寄り部分に、断面Ｌ字形の位置決めスペーサ４０ａを介して支持固定している。
【００３５】
上述の様に、本例の場合には、上記上部案内レール２８ａの存在により、屋内外方向に関する空間を広く確保する事が困難になる、上記上枠２０と前記上框２３ａとの間の空間を、上下方向に利用する事により、この空間内に制動装置１３ｃを組み付けている。従って、本例の場合にも、上記引戸障子１９ａが閉鎖方向に移動して閉鎖位置近傍に達した際には、上記制動装置本体８ｃを構成するピニオン７ｃと上記ラック６ｃとを鉛直方向に噛合させる事により、上記引戸障子１９ａに制動力を作用させる事ができる。
【００３６】
特に本例の場合には、工具を用いて、室内側からラック６ｃの上下位置を調節する事ができる為、このラック６ｃと上記ピニオン７ｃとの噛合状態を適正にする為の上下方向に関する調節作業を容易に行なえる。又、上記ラック６ａが、上記引戸障子１９ａを建て込む作業の妨げとなる事もない。
その他の構成及び作用は、上述した実施の形態の第１例の場合と同様である。
【００３７】
［実施の形態の第３例］
図１３〜１６は、請求項１、２、６に対応する、本発明の実施の形態の第３例を示している。この第３例の特徴は、屋内側のガラス障子１９ｂの縦辺を構成する召し合わせ框２５ｂが、窓枠１８を構成する竪枠２２ａに衝突する事を防止する為に、屋外側のガラス障子１９ａにストッパ部材５９ａ、５９ｂを設けた点にある。その他の構成及び作用は、前述した本発明の実施の形態の第１例の構造と同じである。この為、重複する説明は省略若しくは簡略にし、以下、本例の特徴部分を中心に説明する。
【００３８】
本例の場合、上記各ストッパ部材５９ａ、５９ｂを、上記ガラス障子１９ａのうち、突き合わせ框２６ａの上端部及び下端部の屋内側面にそれぞれ設けている。特に本例の場合には、この突き合わせ框２６ａの上端部に設けられたストッパ部材５９ａを、位置決めスペーサ４０ａの下端部に一体に設けている。即ち、この位置決めスペーサ４０ａの下端部に一体に形成された断面Ｌ字形の取付部６０ａに、合成樹脂製若しくはゴム等の弾性材製の当接部材６１ａを結合して、上記ストッパ部材５９ａとしている。この為、この当接部材６１ａの先端部は、制動装置本体８ｂを覆うカバー４９よりも窓枠１８の中央側に配置している。又、本例の場合には、上記取付部６０ａを、上記突き合わせ框２６ａの屋内側面にねじ６２によりねじ止め固定している。これに伴い、この突き合わせ框２６ａの内側に設けられた補強部材４２ａを、前述した実施の形態の第１例の場合よりも下方に長いものを使用している。
【００３９】
一方、上記突き合わせ框２６ａの下端部に設けられたストッパ部材５９ｂに就いても、断面略Ｌ字形の取付部６０ｂと、当接部材６１ｂとから構成しており、このうちの本体部６０ｂを、上記突き合わせ框２６ａの下端部にねじ止め固定している。又、本例の場合には、この突き合わせ框２６ａの下端部内側に補強板６３を設ける事で、この突き合わせ框２６ａに対する上記ストッパ部材５９ｂの結合強度を高くしている。尚、本例の場合には、上記両ストッパ部材５９ａ、５９ｂを構成する両当接部材６１ａ、６１ｂの先端部が、屋内側の引戸障子１９ｂの召し合わせ框２５ｂに対して同時に当接できる様に、その取付位置を規制している。
【００４０】
上述の様に構成する本例の場合、上記屋内側のガラス障子１９ｂを開放方向に移動させた場合にも、このガラス障子１９ｂの召し合わせ框２５ｂを、上記両ストッパ部材５９ａ、５９ｂ（当接部材６１ａ、６１ｂ）に当接させる事ができる。この為、上記召し合わせ框２５ｂが竪枠２２ａに衝突して、クレセント６９等が破損する事を防止できる。特に本例の場合には、上記ストッパ部材５９ａを、位置決めスペーサ４０ａと一体に設けている為、このストッパ部材５９ａを単独で設ける場合に比べて、上記突き合わせ框２６ａに対する結合強度の確保を容易に図る事ができる。又、合成樹脂の一体成形により、上記位置決めスペーサ４０ａと、上記ストッパ部材５９ａを構成する取付部６０ａとを同時に製造できる為、製造作業の短縮化を図れ、製造コストの面で有利にできる。又、部品点数の削減により、部品管理コストの低減を図れると共に、ストッパ部材５９ａを取り付ける為の取付作業を省略する事ができる。
その他の部分の構成に就いては、前述した本例の実施の形態の第１例に記載した構造と同様である。
【産業上の利用可能性】
【００４１】
本発明を実施する場合に、制動装置の組付け構造に就いては、前述した実施の形態の第１例〜第３例の構造に限定されず、例えば、制動装置を構成するラックを、ガラス障子の上端部屋内側面に支持固定すると共に、同じく制動装置本体を、窓枠の上辺を構成する上枠の下面に、ピニオンの回転軸を鉛直方向に配置した状態で支持する事もできる。この場合に、上記制動装置本体に就いては、窓枠の上辺を構成する上枠に対し、額縁等を利用して支持する事もできる。
【００４２】
又、前述した実施の形態の第１例及び第３例には、上枠２０の突出板部３５に対して、下方からねじ止め固定されたステー３７を用いて、この突出板部３５と木製の額縁３８とにラック取付用アタッチメント３４を組み付ける構造を示した。但し、このラック取付用アタッチメント３４を組み付ける為の構造は、額縁３８以外にも、例えば図１７の（ａ）に示す様な膳板６４や、同図の（ｂ）に示す様なカーテンボックス６５を利用して構成する事もできる。そして、この様な構成によれば、上記ステー３７及びこのステー３７に支持されるラック取付用アタッチメント３４を、未だ建造物に取り付けられていない引戸装置は勿論、既に建造物に取り付けられた引戸装置に対しても取り付ける事ができる。
【００４３】
反対に、未だ建造物に取り付けられていない引戸装置のみを対象にする場合には、上枠２０の突出板部３５に対して、ステー３７を上方からねじ止め固定する構造を採用する事ができる。この様な構成に就いても、図１８の（ａ）〜（ｃ）に示す様に、木製の額縁３８、膳板６４、カーテンボックス６５を利用する事ができる。
【００４４】
又、前述した実施の形態の第１例及び第３例に示した、ラック取付用アタッチメントの別の構成としては、例えば図１９の（ａ）〜（ｃ）に示す様な構成を採用する事ができる。この図１９の（ａ）には、ステー３７の先端部に、ラック取付用アタッチメント３４の上面に設けた係合部６６を係合させる構成を示している。この様な構成によれば、上記ステー３７に対してねじ止め固定する以前の状態で、上記ラック取付用アタッチメント３４をこのステー３７に一時的に支持する事ができる。又、同図の（ｂ）には、ラック取付用アタッチメント３４の係止溝３９ａの底部を下方から挿通したねじ６７により、突出板部３５に直接ねじ止め固定する構成を示している。この様な構成によれば、ラック取付用アタッチメント３４の取付作業を簡易にする事ができる。更に、同図の（ｃ）には、ラック６ｂの基端部を係止する為の係止溝３９ａ、３９ｂを、ラック取付用アタッチメント３４とは独立した別の係止部材６８ａ、６８ｂに係止する構成を示している。この様な構成によれば、ラック６ｂの取付作業を容易にする事ができると共に、不要な係止部材６８ｂ（６８ａ）を取り外す事もできる。
【００４５】
又、前述した実施の形態の第２例に示した上下位置調整装置５３に関して、ラックの底辺に凹部を形成する以外にも、以下の様な構成を採用する事もできる。即ち、図示は省略するが、前述した様に、ラックの長さ方向両端部に、上下方向に長い長孔を形成し、これら各長孔内にそれぞれ支持ピンを挿通し、これら各支持ピンの両端部を止め具を用いて支持する。この様な構成を採用すれば、上記ラックの底辺に凹部を設けなくても、上記各支持ピンと上記各長孔との係合により、このラックが長さ方向に変位する事を有効に防止できる。
【図面の簡単な説明】
【００４６】
【図１】本発明の実施の形態の第１例を示す、引戸障子を屋内側から見た状態を示す略正面図。
【図２】屋外側のガラス障子を閉鎖位置近傍まで移動させた状態での、図１のＡ−Ａ断面に相当する図。
【図３】図２のＢ部拡大図。
【図４】屋外側のガラス障子を閉鎖状態に、屋内側のガラス障子を開放状態にそれぞれ移動させた状態での図１のＣ−Ｃ断面に相当する図。
【図５】図４の下方から見た状態を示す略正面図。
【図６】実施の形態の第１例の構成を屋内側の引戸障子に適用した例を示す、図１に対応する図。
【図７】同じく図２に対応する図。
【図８】同じく図３に対応する図。
【図９】同じく図４に対応する図。
【図１０】本発明の実施の形態の第２例を、屋外側のガラス障子と屋内側のガラス障子とでそれぞれ制動装置を設けた部分で切断して示す縦断面図。
【図１１】同じく屋外側のガラス障子の上端部を、屋内側から見た略正面図。
【図１２】図１１のＤ部拡大図。
【図１３】本発明の実施の形態の第３例を示す、図１と同様の図。
【図１４】同じく図２と同様の図。
【図１５】同じく図４と同様の図。
【図１６】同じく図５と同様の図。
【図１７】上枠の屋内側に額縁以外の部材を配置した場合のラック取付用アタッチメントの取付構造の２例を示す断面図。
【図１８】突出板部に対するステーの別の取付方法の３例を示す断面図。
【図１９】ラック取付用アタッチメントの別の構成の３例を示す断面図。
【図２０】従来構造の第１例を示す、制動装置付引戸装置の正面図。
【図２１】制動装置本体を取り出して示す断面図。
【図２２】従来構造の第２例を示す、制動装置付引戸装置の部分斜視図。
【符号の説明】
【００４７】
１    開口部
２    レール
３、３ａ  引戸障子
４    吊車
５    ハンガー部材
６、６ａ〜６ｃ  ラック
７、７ａ〜７ｃ  ピニオン
８、８ａ〜８ｃ  制動装置本体
９    一方向クラッチ
１０    枢軸
１１    回転体
１２    粘性流体
１３、１３ａ〜１３ｃ  制動装置
１４    上枠
１５    案内溝
１６    受部材
１７    凹部
１８    窓枠
１９ａ、１９ｂ  ガラス障子
２０    上枠
２１    下枠
２２ａ、２２ｂ  竪枠
２３ａ、２３ｂ  上框
２４ａ、２４ｂ  下框
２５ａ、２５ｂ  召し合わせ框
２６ａ、２６ｂ  突き合わせ框
２７ａ、２７ｂ  ガラスパネル
２８ａ、２８ｂ  上部案内レール
２９ａ、２９ｂ  ガイドブロック
３０ａ、３０ｂ  ガイド溝
３１ａ、３１ｂ  下部案内レール
３２ａ、３２ｂ  戸車
３３    ケース
３４    ラック取付用アタッチメント
３５    突出板部
３６ａ、３６ｂ、３６ｃ  ねじ
３７    ステー
３８    額縁
３９ａ、３９ｂ  係止溝
４０、４０ａ  位置決めスペーサ
４１    ねじ
４２、４２ａ  補強部材
４３    取付板部
４４    受部
４５    ねじ
４６    長孔
４７    プレートナット
４８    凹部
４９    カバー
５０    係止爪
５１    係止凹部
５２    係止溝
５３    上下位置調整装置
５４    止め具
５５    調整駒
５６ａ、５６ｂ  嵌合片
５７    突片
５８    キャップ
５９ａ、５９ｂ  ストッパ部材
６０ａ、６０ｂ  取付部
６１ａ、６１ｂ  当接部材
６２    ねじ
６３    補強板
６４    膳板
６５    カーテンボックス
６６    係合部
６７    ねじ
６８    凹部
６９    クレセント
【図１】
2008215001.tif 000003
【図２】
2008215001.tif 000004
【図３】
2008215001.tif 000005
【図４】
2008215001.tif 000006
【図５】
2008215001.tif 000007
【図６】
2008215001.tif 000008
【図７】
2008215001.tif 000009
【図８】
2008215001.tif 000010
【図９】
2008215001.tif 000011
【図１０】
2008215001.tif 000012
【図１１】
2008215001.tif 000013
【図１２】
2008215001.tif 000014
【図１３】
2008215001.tif 000015
【図１４】
2008215001.tif 000016
【図１５】
2008215001.tif 000017
【図１６】
2008215001.tif 000018
【図１７】
2008215001.tif 000019
【図１８】
2008215001.tif 000020
【図１９】
2008215001.tif 000021
【図２０】
2008215001.tif 000022
【図２１】
2008215001.tif 000023
【図２２】
2008215001.tif 000024